(57)【要約】【課題】  螺合する一対のロッドを、各別若しくは同時に長さ調整することができる、ターンバックル式ナットを提供することを目的とする。【解決手段】  一対のロッド５０、６０間に介在させ、前記両ロッド５０、６０にねじ込んで連結するターンバックル式ナット１０であって、前記各ロッド５０、６０に螺合する雌ねじ２１、３１を形成した一対のナット要素２０、３０を同一軸線上に配置し、前記一対のナット要素２０、３０を相互に回動可能に連結したことを特徴とする、ターンバックル式ナット１０である。【選択図】図１
2005113964.tif 000002
【特許請求の範囲】
【請求項１】
一対のロッド間に介在させ、前記両ロッドにねじ込んで連結するターンバックル式ナットであって、
前記各ロッドに螺合する雌ねじを形成した一対のナット要素を同一軸線上に配置し、
前記一対のナット要素を相互に回動可能に連結したことを特徴とする、
ターンバックル式ナット。
【請求項２】
請求項１において、前記一対のナット要素の外周面を、回転工具が嵌合可能な形状に形成したことを特徴とする、ターンバックル式ナット。
【請求項３】
請求項２において、前記一対のナット要素の外周面に形成する回転工具の嵌合部を、隣り合わせて形成したことを特徴とする、ターンバックル式ナット。
【請求項４】
請求項１乃至請求項３の何れかに記載するターンバックル式ナットにおいて、前記各ナット要素の雌ねじを共通の同一方向に形成したことを特徴とする、ターンバックル式ナット。
【請求項５】
請求項１又は請求項２に記載するターンバックル式ナットにおいて、前記一対のナット要素を連結する連結手段を、一対のナット要素の軸心に配置したことを特徴とする、ターンバックル式ナット。
【請求項６】
請求項１又は請求項２に記載するターンバックル式ナットにおいて、前記一対のナット要素を連結する連結手段を、一対のナット要素の外周に配置したことを特徴とする、ターンバックル式ナット。
【発明の詳細な説明】
【技術分野】
【０００１】
本発明は、ターンバックル式ナットに関するものである。
【背景技術】
【０００２】
ターンバックル式ナットａは、例えば図６に示すように仕切りパネルまたはボード類などの被取付物ｂの上部と天井に取り付けたロッドｂ１、ｂ２の間に介在させて、取付位置の調整を行うナットとして利用されている。
ターンバックル式ナットａは、内部に右ネジと左ネジをそれぞれ形成した構造となっており、ターンバックル式ナットａの両端部に、上下の各ロッドｂ１、ｂ２を配置して、ターンバックル式ナットａを所定の方向に回転操作することで、ロッドｂ１、ｂ２にねじ込んで連結すると共に、被取付物ｂの取付位置の調整を行っている。
しかし、従来のターンバックル式ナットａにあっては、ターンバックル式ナットａを回転させると、両側のロッドｂ１、ｂ２長さを同時に変動させてしまう機構であった。
【発明の開示】
【発明が解決しようとする課題】
【０００３】
前記した従来のターンバックル式ナットａにあっては、次のような問題点がある。
＜１＞ターンバックル式ナットを回転させると、両側のロッドｂ１、ｂ２長さが同時に変動してしまい、片側のみのロッド長さを調整することができない。
＜２＞複数のターンバックル式ナットを用いて被取付物を取り付ける場合、被取付物の取付位置の調整は可能であるが、ターンバックル式ナット相互間で高さ調整を行うことができない。
【課題を解決するための手段】
【０００４】
上記のような課題を解決するために、本発明のターンバックル式ナットは、一対のロッド間に介在させ、前記両ロッドにねじ込んで連結するターンバックル式ナットであって、前記各ロッドに螺合する雌ねじを形成した一対のナット要素を同一軸線上に配置し、前記一対のナット要素を相互に回動可能に連結したことを特徴とする。
【０００５】
また、本発明のターンバックル式ナットは、前記したターンバックル式ナットにおいて、前記一対のナット要素の外周面を、回転工具が嵌合可能な形状に形成したことを特徴とする。
【０００６】
また、本発明のターンバックル式ナットは、前記したターンバックル式ナットにおいて、前記一対のナット要素の外周面に形成する回転工具の嵌合部を、隣り合わせて形成したことを特徴とする。
【０００７】
また、本発明のターンバックル式ナットは、前記したターンバックル式ナットにおいて、前記各ナット要素の雌ねじを共通の同一方向に形成したことを特徴とする。
【０００８】
また、本発明のターンバックル式ナットは、前記したターンバックル式ナットにおいて、前記一対のナット要素を連結する連結手段を一対のナット要素の軸心に配置したことを特徴とする。
【０００９】
また、本発明のターンバックル式ナットは、前記したターンバックル式ナットにおいて、前記一対のナット要素を連結する連結手段を一対のナット要素の外周に配置したことを特徴とする。
【発明の効果】
【００１０】
本発明のターンバックル式ナットは、上記した課題を解決するための手段により、次のような効果の少なくとも一つを得ることができる。
＜１＞本発明のターンバックル式ナットは、各ロッドに螺合する雌ねじを形成した一対のナット要素を同一軸線上に配置し、これらを相互に回動可能に連結した構成であるから、個別にロッドの長さを調整することができる。
＜２＞一対のナット要素は個別に回動可能に連結されているから、ロッドのネジ方向に関わらず、ロッドの対向距離を一定に保ったまま、ターンバックル式ナットの位置のみを変更することができる。
【発明を実施するための最良の形態】
【００１１】
以下、図面を参照しながら本発明の実施の形態について説明する。
なお、説明中で使用する「上・下」は図１に基づく。
【００１２】
＜１＞全体の構成
図１にターンバックル式ナット１０の斜視図を示し、図２にその縦断面図を示す。
本発明のターンバックル式ナット１０は、雌ねじ２１、３１を形成した一対のナット要素２０、３０と、両ナット要素２０、３０の間に介在させて相互のナット要素２０、３０を別々に回動可能に連結する連結手段４０とより構成している。
以下、各部詳細について説明する。
【００１３】
＜２＞ナット要素（図２）
ナット要素２０、３０は、ロッド５０、６０の雄ねじ５１、６１に螺合する雌ねじ２１、３１を形成する部材で、ロッド５０、６０を螺入若しくは螺出して、ロッド５０、６０の有効長（対向距離）を調整することができる。
【００１４】
雌ねじ２１、３１は、ナット要素２０、３０の全長に亘り形成する必要はなく、その一部のみに形成しても良い。
本形態においては、両ナット要素２０、３０に右ねじの雌ねじ２１、３１を形成する。
【００１５】
同一直線上に配置した各ナット要素２０、３０の対向側端部には、後述する連結手段４０を貫通させて配置するための挿通孔２３、３３を設ける。
【００１６】
ナット要素２０、３０の外周面には、回転工具と嵌合可能な嵌合部２２、３２を形成する。嵌合部２２、３２は図示するような六角面体の他に、ドライバー工具などの差し込み式工具に対応可能な孔を穿設して代用してもよい。各嵌合部２２、３２は同形状に形成し、ナット要素２０、３０を連結した状態で、隣り合わせになるように配置するのが好ましい。これによって、一つの回転工具で両ナット要素２０、３０を同時に回転させることができる。
なお、嵌合部２２、３２の形状は上記に限定されるものではない。
【００１７】
ナット要素２０の材料としては、亜鉛鍍金または塗装などの防錆処理が施された鋼材の他、ステンレス鋼やアルミニウム等を目的に応じて適宜選択して用いるのが好ましい。
なお、ナット要素２０は上記形態に限定されるものではない。
【００１８】
＜３＞連結手段（図２）
連結手段４０を、両ナット要素２０、３０の間に介在させて一対のナット要素２０、３０を同一軸線上に配置し、相互に回転可能に連結する。
連結手段４０は、上記条件を満たせば特にその形状に限定されるものではなく、たとえば図２に示すようなリベット式を採用できる。
【００１９】
連結手段４０は、各ロッド５０、６０に働く引張力を、ナット要素２０、３０を通じて相互に伝播させるため、この力に耐え得る引張強度を有すれば良い。
連結手段４０の材料としては、亜鉛鍍金または塗装などの防錆処理が施された鋼材の他、ステンレス鋼やアルミニウム等を目的に応じて適宜選択して用いるのが好ましい。
【００２０】
＜４＞製造方法
相互のナット要素２０、３０を、雌ねじ２１、３１が同一軸線上になるように挿通孔２３、３３を背合わせにして配置し、連通させた挿通孔２３、３３に連結手段４０を貫通させて端部処理を行い、ターンバックル式ナット１０を製造する（図２）。
【００２１】
＜５＞操作および調整
天井８０および被取付物７０に一定の間隔をおき対峙させて設けたロッド５０、６０に、ターンバックル式ナット１０を介在させて両者を連結し、天井８０から被取付物７０を吊下げる（図３）。
しかし、一定間隔をおいたロッド５０、６０に、ターンバックル式ナット１０を適当に介在させただけでは、天井８０から被取付物７０までの距離は不揃いとなる。そこで、以下に両者７０、８０間の距離調整およびターンバックル式ナット１０の位置調整の操作を以下に説明する。
【００２２】
ナット要素２０、３０の回転方向については、図１の矢印の方向（ａ、ｂ）を用いる。ナット要素２０をａ方向に回転させるとロッド５０長さは短くなり、ｂ方向に回転させるとロッド５０長さは伸びる。一方、下側のナット要素３０は、ａ方向に回転させるとロッド６０長さは反対に長く伸び、ｂ方向に回転させるとロッド６０長さは短くなるようになっている。
【００２３】
まず、図３（ａ）に示すように、各対象物８０、７０の距離が離れている場合について説明する。
両方のロッド５０、６０長さを短くしたい場合には、上部に位置するナット要素２０をａ方向、下部に位置するナット要素３０をｂ方向に回転させる。すなわち、各ナット要素２０、３０を相互に反対方向に向けて回転させる。これによって、各ロッド５０、６０長さを短く調整することができる。
反対に両方のロッド５０、６０を長くしたい場合には、それぞれのナット要素２０、３０を反対方向に回転させれば良い。
【００２４】
また、図３（ｂ）のように各ロッド５０、６０で調整長さが異なる場合には、距離に応じて各ナット要素２０、３０を単独で回転させれば良い。この図では、短く調整したいロッド５０に螺合するナット要素２０のみを回転（ａ方向）させて、一方のロッド５０のみを短縮させる。このとき、もう一方のナット要素３０は、連結手段４０により遊転可能に連結されているので、他方に配置したナット要素２０の回転に対し空回りするだけで、ロッド６０の長さに影響を与えることはない。
【００２５】
次に、図３（ｃ）に示すように、ロッド５０、６０長さの調整が不要で、ターンバックル式ナット１０の位置だけを任意の位置（９２）へ移動させたい場合について説明する。
この場合、両方のナット要素２０、３０を同じ方向に回転させる。ナット要素２０、３０をａ方向に回転させると、ターンバックル式ナット１０はロッド５０、６０の途上を上方に向けて移動し、反対にｂ方向に回転させると下方に向けて移動する。
ナット要素２０、３０の回転操作は、両方の嵌合部２２、３２に所要の回転治具を嵌合させて同時に回転させると効率良く移動させることができる。このようにして、ロッド５０、６０の全長を変動させることなく、ターンバックル式ナット１０の位置（高さ）のみを移動させることができる。
【００２６】
以上のように、本発明のターンバックル式ナット１０は、一方若しくは両方に配するロッド５０，６０長さを任意に調整することができ、またロッド５０、６０長さを変動させることなくターンバックル式ナット１０の位置のみを変えることもできるので、一旦据え付けたターンバックル式ナット１０を、対象箇所から取り外すことなく調整することができる、施工性に優れるものである。
【００２７】
＜その他の形態１＞
以上のターンバックル式ナット１０は、一対のナット要素２０、３０を、ナット要素２０、３０の軸心（内部）に配置した連結手段４０で連結する形態であったが、図４に示すように両ナット要素２０、３０の外周にそれぞれ環状溝２４、３４を形成して、ここに断面コ字形の連結手段４０１を嵌合させて連結しても良い。この形態においても、各ナット要素２０、３０は相互に干渉し合うことなく、個別に独立して回転することができ、それぞれに螺着するロッド５０，６０長さを調整することができる。
【００２８】
この形態においては、ねじ孔内に突設する挿通孔２３、３３が不要となるため、雌ねじ２１、３１を両方のナット要素２０、３０に亘って連続させることができる。これによって、各ロッド５０、６０の移動範囲はそれぞれのナット要素２０、３０内に留まらず、他方のナット要素２０、３０にまで螺入させることができるので、長さ調整の範囲が大きくなるという効果を奏する。
【００２９】
＜その他の形態２＞
また、その他の連結手段４０２として、ヒンジ形状を呈する形態も採用できる（図５）。かかる形態は、各ナット要素２０、３０の突き合せ部に、ナット要素２０、３０に対して回動可能な連結部４０３、４０４をそれぞれ設けて、これらをヒンジで繋ぐ構成である。
【００３０】
＜その他の形態３＞
各ロッド５０、６０に形成する雄ねじ５１、６１の刻設方向は、共通する同一方向に限られず、異なる方向（右ねじと左ねじ、左ねじと右ねじ）としても良い。
各ナット要素２０、３０にそれぞれ右ねじ、左ねじの雌ねじ２１、３１を形成する場合、ナット要素２０をａ方向に回転させるとロッド５０は短くなり、逆にｂ方向に回転させるとロッド５０は長く伸びる。一方、左ねじのナット要素３０をａ方向に回転させると、ロッド６０長さは短くなり、逆にｂ方向に回転させると長く伸びる。つまり、従来のターンバックルと同様の機構を示す。しかし、本ターンバックル式ナット１０においては、各ナット要素２０，３０を相互別々に回転させることができるので、各別にロッド長さを調整することも、またロッド５０、６０の全長を保持したまま、ターンバックル式ナット１０の位置のみを変えることもできる。
【００３１】
＜その他の形態４＞
以上の実施例は、被取付物７０を天井８０から複数のロッド５０、６０とターンバックル式ナット１０で懸吊する形態であるが、そのほか柱材と桁材とから構成される建築物の枠体の対角線上に配置して、建築用筋交い若しくは水平ブレースとして使用することもできる。
【図面の簡単な説明】
【００３２】
【図１】本発明のターンバックル式ナットの斜視図。
【図２】ターンバックル式ナットの断面図。
【図３】ターンバックル式ナットを使用した実施例図。
【図４】その他の形態１の説明図。
【図５】その他の形態２の説明図。
【図６】従来のターンバックル式ナットの使用例を示した図
【符号の説明】
【００３３】
１０・・・ターンバックル式ナット
２０・・・ナット要素
２１・・・雌ねじ
２２・・・嵌合部
２３・・・挿通孔
３０・・・ナット要素
３１・・・雌ねじ
３２・・・嵌合部
３３・・・挿通孔
４０・・・連結手段
５０・・・ロッド
６０・・・ロッド
【図１】
2005113964.tif 000003
【図２】
2005113964.tif 000004
【図３】
2005113964.tif 000005
【図４】
2005113964.tif 000006
【図５】
2005113964.tif 000007
【図６】
2005113964.tif 000008